(57)【要約】      （修正有）【課題】組み立て・施工が容易で意匠性が良い排水トラップ配管を提供する。【解決手段】第１排水管３とトラップ本体４とを、水密部材のみを介して水密的に接続し、槽体１とトラップ本体４との位置決めを行うために、槽体１下部から下方へ向かって延出構成される凸部９と、トラップ本体の上部に、凸部９と合致する凹部１０を構成した。更に、槽体１が取り付け設置される壁面に対し、トラップ本体４の排出口７の中心軸の方向が略平行となるよう構成し、かつ排出口７と接続される第２排水管１１を、壁面方向へ屈曲させて下水管と接続する構成とした。【選択図】図２
2008025216.tif 000002
【特許請求の範囲】
【請求項１】
底部に排水口２を開口した槽体１と、
排水口２から垂下して構成される第１排水管３と、
第１排水管３に備えられる、内部に封水部６を備えるトラップ本体４と、
トラップ本体４内部の排水を下水管１６へと排出するための排出口７と、
排出口７に接続されて最終的には下水管１６へと接続される第２排水管１１と、
から構成される排水トラップ配管において、
前記第１排水管３とトラップ本体４とを、水密部材１８のみを介して水密的に接続することを特徴とする排水トラップ配管。
【請求項２】
底部に排水口２を開口した槽体１と、
排水口２から垂下して構成される第１排水管３と、
第１排水管３に備えられる、内部に封水部６を備えるトラップ本体４と、
トラップ本体４内部の排水を下水管１６へと排出するための排出口７と、
排出口７に接続されて最終的には下水管１６へと接続される第２排水管１１と、
から構成される排水トラップ配管において、
前記槽体１下部から下方へ向かって若しくは前記トラップ本体４上部から上方へ向かって、のいずれか一方から延出構成される凸部９と、
前記トラップ本体４の上部又は槽体１下方のいずれか一方に、前記凸部９と合致する凹部１０を構成したことを特徴とする排水トラップ配管。
【請求項３】
底部に排水口２を開口した槽体１と、
排水口２から垂下して構成される第１排水管３と、
第１排水管３に備えられる、内部に封水部を備えるトラップ本体４と、
トラップ本体４内部の排水を下水管１６へと排出するための排出口７と、
排出口７に接続されて最終的には下水管１６へと接続される第２排水管１１と、
から構成される排水トラップ配管において、
前記槽体１が取り付け設置される壁面１７に対し、トラップ本体４の排出口７の中心軸の方向が略平行となるよう構成し、
かつ排出口７と接続される第２排水管１１を、壁面１７方向へ屈曲させて下水管１６と接続する構成としたことを特徴とする排水トラップ配管。
【請求項４】
前記トラップ本体４の排出口７に切り込み溝８を構成し、
更に、前記排出口７に接続される第２排水管１１外周に、第２排水管１１の外周面の少なくとも一部がフラット面１３となる凹溝１２を構成するとともに、
且つ、当該第２排水管１１のフラット面１３に合致するＣ字状のスナップリング１４を構成して、
前記排出口７に第２排水管１１を差し込み挿入した際に、スナップリング１４を排出口７の切り込み溝８に差し込んだ際には、第２排水管１１の凹溝１２のフラット面１３にスナップリング１４が嵌め込まれることで、第２排水管１１の勾配角度の設定ができることを特徴とする前記請求項１乃至請求項３のいずれか一つに記載の排水トラップ配管。
【請求項５】
底部に排水口２を開口した槽体１と、
排水口２から垂下して構成される第１排水管３と、
第１排水管３に備えられる、内部に封水部６を備えるトラップ本体４と、
トラップ本体４内部の排水を下水管１６へと排出するための排出口７と、
排出口７に接続されて最終的には下水管１６へと接続される第２排水管１１と、
から構成される排水トラップ配管において、
前記第１排水管３とトラップ本体４とを、水密部材１８のみを介して水密的に接続させるとともに、
前記槽体１下部から下方へ向かって若しくは前記トラップ本体４上部から上方へ向かって、のいずれか一方から延出構成される凸部９と、
前記トラップ本体４の上部又は槽体１下方のいずれか一方に、前記凸部９と合致する凹部１０を構成し、
前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、
且つ、前記排出口７に接続される第２排水管１１外周に、第２排水管１１の外周面の少なくとも一部がフラット面１３となる凹溝１２を構成するとともに、
前記排出口７に第２排水管１１を差し込み挿入した際に、スナップリング１４を排出口７の切り込み溝８に差し込んだ際には、第２排水管１１の凹溝１２フラット面１３にスナップリング１４が嵌め込まれることで、第２排水管１１の勾配角度の設定ができることを特徴とする排水トラップ配管。
【請求項６】
底部に排水口２を開口した槽体１と、
排水口２から垂下して構成される第１排水管３と、
第１排水管３に備えられる、内部に封水部６を備えるトラップ本体４と、
トラップ本体４内部の排水を下水管１６へと排出するための排出口７と、
排出口７に接続されて最終的には下水管１６へと接続される第２排水管１１と、
から構成される排水トラップ配管において、
前記槽体１下部から下方へ向かって若しくは前記トラップ本体４上部から上方へ向かって、のいずれか一方から延出構成される凸部９と、
前記トラップ本体４の上部又は槽体１下方のいずれか一方に、前記凸部９と合致する凹部１０を構成し、
前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、
且つ、前記排出口７に接続される第２排水管１１外周に、第２排水管１１の外周面の少なくとも一部がフラット面１３となる凹溝１２を構成するとともに、
前記排出口７に第２排水管１１を差し込み挿入した際に、スナップリング１４を排出口７の切り込み溝８に差し込んだ際には、第２排水管１１の凹溝１２フラット面１３にスナップリング１４が嵌め込まれることで、第２排水管１１の勾配角度の設定ができることを特徴とする排水トラップ配管。
【請求項７】
前記槽体１下方からトラップ本体４までの高さ部分に、ジョイント部材１５を介装して隙間を埋めることを特徴とする前記請求項１乃至請求項６のいずれか一つに記載の排水トラップ配管。
【請求項８】
前記ジョイント部材１５を弾性部材としたことを特徴とする前記請求項７に記載の排水トラップ配管。
【請求項９】
前記ジョイント部材１５を槽体１から垂下して構成される筒状部材としたことを特徴とする前記請求項７に記載の排水トラップ配管。
【請求項１０】
前記ジョイント部材１５を、トラップ本体４から上方へ延出して構成される筒状部材としたことを特徴とする前記請求項７に記載の排水トラップ配管。
【発明の詳細な説明】
【技術分野】
【０００１】
本発明は、下水管からの臭気や害虫の室内側への逆流を防ぐ排水トラップやその配管に関するものである。
【背景技術】
【０００２】
従来よく知られた、排水トラップ配管としては、例えば図１８乃至図２０に図示した排水トラップ配管がある。以下に図１８乃至図２０に図示した排水トラップ配管の従来例を、図面を参照しつつ説明する。
図１８乃至図２０に図示した従来例の排水トラップ配管は、以下に記載する槽体、第１排水管、トラップ本体、排出口、第２排水管から構成される。
槽体は、具体的には洗面ボウルや浴槽などの箱体であって、底面には排水用の排水口が開口され、取り付け金具などを用いて壁面に取り付けられる。
第１排水管は、前記槽体の排水口から後述するトラップ本体までに接続される管体であっる。
トラップ本体は、第１排水管に接続される箱体であって、内部に封水と呼ばれる排水を常時貯水することで、下水側からの臭気や害虫が室内側へと逆流することがない。尚、本従来例ではトラップ本体を上部と下部の２分割の箱体から構成し、前記排水口からトラップ本体内へ垂下挿入して構成される封水筒を備え、当該封水筒下端から、後記する排出口下端までの高さに貯留する封水によって、下水管からの臭気や害虫の逆流を防ぐ。
排出口は、トラップ本体内の排水をトラップ本体外へ排出する管体であって、トラップ本体側面に延出構成される。
第２排水口は、排出口に接続される管体であって、最終的には壁面内に構成された下水管へと接続される。
【０００３】
以上のように構成された排水トラップ配管は、以下のように組み立て施工される。
壁面に槽体を取り付け固定し、槽体の排水口に第１排水管を接続する。その後、第１排水管下端に、予め封水筒を内部に組み立てられたトラップ本体をナット等により接続する。そして、トラップ本体の排出口に第２排水管をナットにより接続したうえで、壁面内に配置されている下水管の開口に、第２排水管を挿入・接続する。尚、この下水管に第２排水管を接続する際は、予め設定されて開口された壁面の下水管に、トラップ本体の排出口から延出された第２排水管を挿入しなくては成らないため、排出口からの第２排水管については、下水管にきちんと接続できるよう、トラップ本体の排出口の向きを壁面側（後方側）にくるよう微調整を行ったり、下水管と第２排水管の位置あわせや寸法カットなどを行ってから両者の接続を行う。このようにして施工・組み立ては終了する。
【０００４】
このように施工された排水トラップ配管は、以下のような排水の流れとなる。
槽体に排水が発生すると、槽体の排水口から排水が槽体外へ排出される。その後、排水口から第１排水管を介し、トラップ本体内へと流入する。トラップ本体内の排水は封水筒を通過して排出口からトラップ本体外へ排水される。また、排出口には第２排水管が接続されているので、排出口からの排水は第２排水管へ排出され、最終的には第２排水管から下水管へと排水される。
【０００５】
【特許文献１】特開２００５−１０５７０８号公報
【特許文献２】実開平０３−０９９０７８号公報
【特許文献３】実開昭５５−１１０５７７号公報
【発明の開示】
【発明が解決しようとする課題】
【０００６】
従来例のような排水トラップ配管は、以下のような問題点があった。
槽体並びに第１排水管、トラップ本体等を施工する際に、壁面に開口された下水管にトラップ本体の排出口から延出される第２排水管を接続しなければならないが、この作業には下水管の開口位置が予め設定され開口しているので、それに併せて第２排水管並びにそれに付随するトラップ本体などの接続作業を行わなければならない。この接続作業は非常に困難で緻密な作業を要することが多く、例えば、トラップ本体の排出口の向きを下水管の開口側へ向けて調整したり、第２排水管をトラップ本体の排出口から下水管までの長さにカットして微調整を行う。このようにすることで、良い具合に第２排水口が下水管へ接続する事ができる。このような施工・組み立て作業は、施工や組み立てを行う作業者にとっては非常に煩わしい作業であった。
また、第２排水管は通常、排水を下水管へと排水するために勾配（以下、「排水勾配」という）を設定しなければならないが、このように第２排水管に勾配を設定しようとすると、施工時に勾配を設定しながら配管せねばならず、場合によっては下水管の開口とトラップ本体の排出口の位置関係上、第２排水管の排水勾配が逆勾配となってしまったり、施工者が不慣れであったり初心者であったりして第２排水管が逆勾配となってしまうことがあり、排水の逆流や、排水が円滑に排水できない、といった問題が発生していた。
また、従来のように下水管が壁面内に配置されているような排水トラップ配管では、トラップ本体の排出口を壁面側に対面するよう配置しているため、第１排水管とトラップ本体との高さ調節は可能であるが、トラップ本体の排出口から下水管の横方向の微調整は両者を第２排水管によって直接的に接続していることより、不可能であった。
また、槽体は従来キャビネットと呼ばれる、内部に収納物を収納できる収納空間を備えたキャビネットに取り付けられることが多かったが、最近では室内全体の意匠性向上や意匠調和の傾向から、キャビネットレスの槽体が主流である。このような槽体においては、第１排水管や第２排水管、トラップ本体が室内側へ露出してしまうので、特にこのような第１・第２排水管や排水トラップが外部に露出してしまうような排水配管においては、排水管や排水トラップ自体の意匠性を向上させなければならなかった。
【０００７】
また、特に図１８に示したような従来例であれば、トラップ本体の排出口と第２排水管の接続を球継手により接続することで、第２排水管と下水管の位置ずれを解消するものもあるが、このような継手であれば、排出口の高さに対して下水管の高さが高いと、第２排水管が逆勾配となってしまうことが多かった。
また、特に図１９に示した従来例であれば、第２排水管の中心軸をずらして下水管との接続調整を行うものもあるが、このような配管であれば第２排水管の中心軸のずれ幅分の位置調整しか出来ないので、ずれ幅以上の位置ずれや、ずれ幅より極小な位置ずれには対応することができなかった。
【０００８】
従って、本発明の排水トラップ配管は、以下の課題を解決するために発明された。
１．組み立て・施工する際に、非常に簡単に施工できること。
２．組み立て・施工する際に、排出口の方向の位置決めが容易であること。
３．第２排水管と下水管開口の位置調整が簡単にできること。
４．第２排水管が逆勾配になったりしないこと。
５．第１排水管、第２排水管と排水トラップ配管の意匠性が良いこと。
【課題を解決するための手段】
【０００９】
請求項１に記載した本発明は、底部に排水口２を開口した槽体１と、排水口２から垂下して構成される第１排水管３と、第１排水管３に備えられる、内部に封水部６を備えるトラップ本体４と、トラップ本体４内部の排水を下水管１６へと排出するための排出口７と、排出口７に接続されて最終的には下水管１６へと接続される第２排水管１１と、から構成される排水トラップ配管において、前記第１排水管３とトラップ本体４とを、水密部材１８のみを介して水密的に接続することを特徴とする排水トラップ配管である。
【００１０】
請求項２に記載の本発明は、底部に排水口２を開口した槽体１と、排水口２から垂下して構成される第１排水管３と、第１排水管３に備えられる、内部に封水部６を備えるトラップ本体４と、トラップ本体４内部の排水を下水管１６へと排出するための排出口７と、
排出口７に接続されて最終的には下水管１６へと接続される第２排水管１１と、から構成される排水トラップ配管において、前記槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成したことを特徴とする排水トラップ配管である。
【００１１】
請求項３に記載の本発明は、底部に排水口２を開口した槽体１と、排水口２から垂下して構成される第１排水管３と、第１排水管３に備えられる、内部に封水部を備えるトラップ本体４と、トラップ本体４内部の排水を下水管１６へと排出するための排出口７と、排出口７に接続されて最終的には下水管１６へと接続される第２排水管１１と、から構成される排水トラップ配管において、前記槽体１が取り付け設置される壁面１７に対し、トラップ本体４の排出口７の中心軸の方向が略平行となるよう構成し、かつ排出口７と接続される第２排水管１１を、壁面１７方向へ屈曲させて下水管１６と接続する構成としたことを特徴とする排水トラップ配管である。
【００１２】
請求項４に記載の本発明は、前記トラップ本体４の排出口７に切り込み溝８を構成し、更に、前記排出口７に接続される第２排水管１１外周に、第２排水管１１の外周面の少なくとも一部がフラット面１３となる凹溝１２を構成するとともに、且つ、当該第２排水管１１のフラット面１３に合致するＣ字状のスナップリング１４を構成して、前記排出口７に第２排水管１１を差し込み挿入した際に、スナップリング１４を排出口７の切り込み溝８に差し込んだ際には、第２排水管１１の凹溝１２のフラット面１３にスナップリング１４が嵌め込まれることで、第２排水管１１の勾配角度の設定ができることを特徴とする前記段落０００９乃至段落００１１のいずれか一つに記載の排水トラップ配管である。
【００１３】
請求項５に記載の本発明は、底部に排水口２を開口した槽体１と、排水口２から垂下して構成される第１排水管３と、第１排水管３に備えられる、内部に封水部６を備えるトラップ本体４と、トラップ本体４内部の排水を下水管１６へと排出するための排出口７と、排出口７に接続されて最終的には下水管１６へと接続される第２排水管１１と、から構成される排水トラップ配管において、前記第１排水管３とトラップ本体４とを、水密部材１８のみを介して水密的に接続させるとともに、前記槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成し、前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、且つ、前記排出口７に接続される第２排水管１１外周に、第２排水管１１の外周面の少なくとも一部がフラット面１３となる凹溝１２を構成するとともに、前記排出口７に第２排水管１１を差し込み挿入した際に、スナップリング１４を排出口７の切り込み溝８に差し込んだ際には、第２排水管１１の凹溝１２フラット面１３にスナップリング１４が嵌め込まれることで、第２排水管１１の勾配角度の設定ができることを特徴とする排水トラップ配管である。
【００１４】
請求項６に記載の本発明は、底部に排水口２を開口した槽体１と、排水口２から垂下して構成される第１排水管３と、第１排水管３に備えられる、内部に封水部６を備えるトラップ本体４と、トラップ本体４内部の排水を下水管１６へと排出するための排出口７と、排出口７に接続されて最終的には下水管１６へと接続される第２排水管１１と、から構成される排水トラップ配管において、前記槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成し、前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、且つ、前記排出口７に接続される第２排水管１１外周に、第２排水管１１の外周面の少なくとも一部がフラット面１３となる凹溝１２を構成するとともに、前記排出口７に第２排水管１１を差し込み挿入した際に、スナップリング１４を排出口７の切り込み溝８に差し込んだ際には、第２排水管１１の凹溝１２フラット面１３にスナップリング１４が嵌め込まれることで、第２排水管１１の勾配角度の設定ができることを特徴とする排水トラップ配管である。
【００１５】
請求項７に記載の本発明は、前記槽体１下方からトラップ本体４までの高さ部分に、ジョイント部材１５を介装して隙間を埋めることを特徴とする前記段落０００９乃至段落００１４のいずれか一つに記載の排水トラップ配管である。
【００１６】
請求項８に記載の本発明は、前記ジョイント部材１５を弾性部材としたことを特徴とする前記段落００１５に記載の排水トラップ配管である。
【００１７】
請求項９に記載の本発明は、前記ジョイント部材１５を槽体１から垂下して構成される筒状部材としたことを特徴とする前記段落００１５に記載の排水トラップ配管である。
【００１８】
請求項１０に記載の本発明は、前記ジョイント部材１５を、トラップ本体４から上方へ延出して構成される筒状部材としたことを特徴とする前記請求項７に記載の排水トラップ配管である。
【発明の効果】
【００１９】
本発明の排水トラップ配管は、以下の効果を奏する。
請求項１に記載の本発明は、第１排水管３とトラップ本体４とを、水密部材１８のみを介して水密的に接続することができるので、従来例と比較して、第１排水管３とトラップ本体４の接続をナット等で接続する必要がないので、本排水トラップ配管を施工する際も第１排水管３をカットするのみで終了するので、極めて簡単に施工することができる。
請求項２に記載の本発明は、槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成したことで、槽体１に対しトラップ本体４の排出口７の方向の位置決めを予め設定することができ、排水トラップ配管の施工・組み立てが簡単となる。
請求項３に記載の本発明は、前記槽体１が取り付け設置される壁面１７に対し、トラップ本体４の排出口７の中心軸の方向が略平行となるよう構成し、かつ排出口７と接続される第２排水管１１を、壁面１７方向へ屈曲させて下水管１６と接続する構成としたことから、下水管１６の開口に対してトラップ本体４の高さ方向の調整及び横方向の調整が可能となる。
請求項４に記載の本発明は、トラップ本体４の排出口７に切り込み溝８を構成し、更に、前記排出口７に接続される第２排水管１１外周に、第２排水管１１の外周面の少なくとも一部がフラット面１３となる凹溝１２を構成するとともに、且つ、当該第２排水管１１のフラット面１３に合致するＣ字状のスナップリング１４を構成して、前記排出口７に第２排水管１１を差し込み挿入した際に、スナップリング１４を排出口７の切り込み溝８に差し込んだ際には、第２排水管１１の凹溝１２のフラット面１３にスナップリング１４が嵌め込まれることで、第２排水管１１の勾配角度の設定ができるようになる。
請求項５に記載の本発明は、前記第１排水管３とトラップ本体４とを、水密部材１８のみを介して水密的に接続させるとともに、前記槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成し、前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、且つ、前記排出口７に接続される第２排水管１１外周に、第２排水管１１の外周面の少なくとも一部がフラット面１３となる凹溝１２を構成するとともに、前記排出口７に第２排水管１１を差し込み挿入した際に、スナップリング１４を排出口７の切り込み溝８に差し込んだ際には、第２排水管１１の凹溝１２フラット面１３にスナップリング１４が嵌め込まれることで、第２排水管１１の勾配角度の設定ができるようにしたことから、本排水トラップ配管を施工する際も第１排水管３をカットするのみで終了するので、極めて簡単に施工することができる上、槽体１に対しトラップ本体４の排出口７の方向の位置決めを予め設定することができ、排水トラップ配管の施工・組み立てが簡単となり、下水管１６の開口に対してトラップ本体４の高さ方向の調整及び横方向の調整が可能となるうえ、第２排水管１１の勾配角度の設定ができるようになる。
請求項６に記載の本発明は、槽体１下部から下方へ向かって若しくは前記トラップ本体４上部から上方へ向かって、のいずれか一方から延出構成される凸部９と、前記トラップ本体４の上部又は槽体１下方のいずれか一方に、前記凸部９と合致する凹部１０を構成し、前記槽体１が取り付け設置される壁面１７に対し、トラップ本体４の排出口７の中心軸の方向が略平行となるよう構成し、排出口７と接続される第２排水管１１を、壁面１７方向へ屈曲させて下水管１６と接続させるとともに、且つ、前記排出口７に接続される第２排水管１１外周に、第２排水管１１の外周面の少なくとも一部がフラット面１３となる凹溝１２を構成するとともに、前記排出口７に第２排水管１１を差し込み挿入した際に、スナップリング１４を排出口７の切り込み溝８に差し込んだ際には、第２排水管１１の凹溝１２のフラット面１３にスナップリング１４が嵌め込まれることで、第２排水管１１の勾配角度の設定ができることから、槽体１に対しトラップ本体４の排出口７の方向の位置決めを予め設定することができ、排水トラップ配管の施工・組み立てが簡単となり、下水管１６の開口に対してトラップ本体４の高さ方向の調整及び横方向の調整が可能となるうえ、第２排水管１１の勾配角度の設定ができるようになる。
請求項７に記載の本発明は、槽体１下方からトラップ本体４までの高さ部分に、ジョイント部材１５を介装して隙間を埋めることで、槽体１下方からトラップ本体４までの高さ方向の隙間がなくなるため、槽体１及び排水トラップ配管の意匠性が向上する。
請求項８に記載の本発明は、ジョイント部材１５を弾性部材としたことから、槽体１からトラップ本体４までの高さ方向の隙間が無くなるため、槽体１及び排水トラップ配管の意匠性が向上すると共に、ジョイント部材１５が弾性部材なため、槽体１からトラップ本体４までの高さ方向の寸法誤差が発生しても、弾性部材により吸収することができるため、施工性も向上することができる。
請求項９に記載の本発明は、ジョイント部材１５を槽体１から垂下して構成される筒状部材としたことから、槽体１からトラップ本体４までの高さ方向の隙間が無くなるため、槽体１及び排水トラップ配管の意匠性が向上すると共に、ジョイント部材１５が筒状部材なため、槽体１からトラップ本体４までの高さ方向の寸法誤差が発生しても、筒状部材により吸収することができるため、施工性も向上することができる。
請求項１０に記載の本発明は、ジョイント部材１５を、トラップ本体４から上方へ延出して構成される筒状部材としたことから、槽体１からトラップ本体４までの高さ方向の隙間が無くなるため、槽体１及び排水トラップ配管の意匠性が向上すると共に、ジョイント部材１５が筒状部材なため、槽体１からトラップ本体４までの高さ方向の寸法誤差が発生しても、筒状部材により吸収することができるため、施工性も向上することができる。
【実施例】
【００２０】
以下に本発明の第１実施例を、図面を参照しつつ説明する。
図１乃至図１０に図示した本実施例の排水トラップ配管は、以下に記載する槽体１、第１排水管３、トラップ本体４、排出口７、第２排水管１１、スナップリング１４から構成される。
槽体１は、図３乃至図５に示したように、具体的には洗面ボウルや浴槽などの箱体であって、底面には排水用の排水口２が開口され、取り付け金具などを用いて壁面１７に取り付けられる。また、槽体１下面には、円筒形状の凸部９が下方へ垂下して構成されている。
第１排水管３は、前記槽体１の排水口２から後述するトラップ本体４までに接続される管体である。
トラップ本体４は、図１乃至図２に示したように、第１排水管３に接続される箱体であって、内部に封水部６と呼ばれる排水を常時貯水することで、下水側からの臭気や害虫が室内側へと逆流することがない。尚、本従来例ではトラップ本体４を上部と下部の２分割の箱体から構成し、前記排水口２から第１排水管３を介しトラップ本体４内へ垂下挿入して構成される封水筒５を備え、当該封水筒５下端から、後記する排出口７下端までの高さに貯留する封水部６によって、下水管１６からの臭気や害虫の逆流を防ぐ。また、トラップ本体４の上面には、前記槽体１の凸部９に合致する形状（円筒状）の凹部１０が構成される。なお、当該凹部１０は、後述する排出口７の中心軸が壁面１７と略平行となるように位置決めできる箇所に構成される。本実施例では、トラップ本体４の上面視排出口７と対峙する箇所に凹部１０を構成する。
排出口７は、トラップ本体４内の排水をトラップ本体４外へ排出する管体であって、トラップ本体４側面に延出構成される。本実施例では上記のように、排出口７の中心軸が、槽体１の取り付けられている壁面１７と平行となるよう配置される。また、排出口７は図７に示したように、上面及び下面の２箇所に後述するスナップリング１４が挿入される切り込み溝８を構成している。尚、当該切り込み溝８は、排出口７の外周面であって、排出口７の中心軸に対し側面へ向かって切り込み状の溝を構成している。
第２排水管１１は、排出口７に接続される管体であって、最終的には壁面１７内に構成された下水管１６へと接続される。また、本実施例では、図５に示すように第２排水管１１は屈曲して構成されている。また、図６に示すように、第２排水管１１の外周面には、円周に沿って構成される複数の凹溝１２を構成する。尚、当該凹溝１２には、第２排水管１１が施工時に上面及び下面となる２箇所に、フラット面１３を構成して成る。
スナップリング１４は、図８に示すように、少なくとも前記切り込み溝８及び凹溝１２の幅を有するＣ字状のリングであり、そのリング内径の側方２箇所にフラット面１３を構成する。
尚、本実施例では、排出口７に第２排水管１１を挿入してスナップリング１４を排出口７の切り込み溝８に差し込むことで、スナップリング１４のフラット面１３と第２排水管１１のフラット面１３が合致するように嵌め込まれ接続される。このとき、排出口７には上面及び下面の２箇所に切り込み溝８を構成しているため、スナップリング１４は排出口７の側方からのみ差し込めない。また、第２排水管１１のフラット面１３と、スナップリング１４のフラット面１３は接続時合致しないとスナップリング１４が排出口７及び第２排水管１１に差し込めないようになっているため、排出口７に対して側方にしか差し込めないスナップリング１４のフラット面１３にあわせて第２排水管１１のフラット面１３を配管しておかなければならない。そうすると、第２排水管１１の上部及び下部に構成された第２排水管１１も必然的に排出口７の切り込み溝８に併せて位置決めして配管しておかなければならず、この状態でようやくスナップリング１４が切り込み溝８に挿入することができ、それにスナップリング１４のフラット面１３と第２排水管１１のフラット面１３は合致することができ、第２排水管１１と排出口７の両者は接続することが出来る。尚、第２排水管１１は排出口７に対して、前述したように位置決めされてからしか接続されない。従って、排出口７の切り込み溝８及び第２排水管１１のフラット面１３の位置、スナップリング１４のフラット面１３の位置を、予め第２排水管１１に排水勾配が付与されるように設計配置しておけば、第２排水管１１を排出口７に接続するだけで排水勾配を位置決め設定することができるので、第２排水管１１を施工時にわざわざ排水勾配を設定せずに配管することができる。
【００２１】
以上のように構成された排水トラップ配管は、以下のように組み立て施工される。
壁面１７に槽体１を取り付け固定し、槽体１の排水口２に第１排水管３を接続する。その後、第１排水管３下端に、予め封水筒５を内部に組み立てられたトラップ本体４をナット等により接続する。図１のように第１排水管３の高さが高くても、図２のように、第１排水管３の長さを適宜箇所でカットして、高さ方向の調整を行う。このように、下水管１６開口と排出口７との高さ方向を最適な高さとなるよう予め調整しておく。更に、槽体１から垂下して構成される凸部９に、トラップ本体４の凹部１０が合致して、トラップ本体４の排出口７が位置決めされて接続される。そして、図３乃至図５に示すように、当該排出口７は、槽体１が取り付けられる壁面１７に対し中心軸が略平行となるよう配置される。
そして、図９（ａ）に示したようにトラップ本体４の排出口７に第２排水管１１を挿入する。このとき、第２排水管１１の凹溝１２側端部を排出口７へと挿入する。そして、第２排水管１１が下水管１６へと挿入できるように、凹溝１２側端部をカットすることで行うことで水平方向の位置あわせを行う。そうすると、第２排水管１１は壁面１７方向へ屈曲されていることから、壁面１７の下水管１６と接続することが出来る。トラップ本体４の排出口７の中心軸を壁面１７と平行となるよう構成したので、第２排水管１１の排出口７接続端部側を適宜長さにカットすることで、下水管１６の開口に対して水平方向の位置調整を行うことができる。
そして、図９（ｂ）に示したように、排出口７の切り込み溝８にスナップリング１４を挿入する。このとき、図１０のように切り込み溝８に挿入されたスナップリング１４は、排出口７内の第２排水管１１の凹溝１２に合致するよう挿入される。そして、凹溝１２の２面のフラット面１３に、スナップリング１４のフラット面１３がスライドして合致するように取り付けられる。このように、第２排水管１１とスナップリング１４のフラット面１３を合致させるようにしたため、上下方向の位置決めを行うことが可能となるし、スナップリング１４と第２排水管１１のフラット面１３が合致することにより、逆勾配にならないよう接続することができるので、施工時にわざわざ第２排水管１１の排水勾配を設定して配管しなくても良くなり、施工性が向上した。このようにして施工・組み立ては終了する。
【００２２】
このように施工された排水トラップ配管は、以下のような排水の流れとなる。
槽体１に排水が発生すると、槽体１の排水口２から排水が槽体１外へ排出される。その後、排水口２から第１排水管３を介し、トラップ本体４内へと流入する。トラップ本体４内の排水は封水筒５を通過して排出口７からトラップ本体４外へ排水される。また、排出口７には第２排水管１１が接続されているので、排出口７からの排水は第２排水管１１へ排出され、最終的には第２排水管１１から下水管１６へと排水される。
【００２３】
また、本発明の排水トラップ配管は、上記実施例の他に、例えば図１３乃至図１４に示したように、トラップ本体４の上部に、筒状のジョイント部材１５を立設して、トラップ本体４から槽体１の高さまで構成しても良い。このような構成にすると、槽体１からトラップ本体４までの高さが遮蔽されるので、意匠性がよい。特に、キャビネットを有さない槽体１などであれば、特にその効果を発揮する。
また、例えば図１１乃至図１２に示したように、槽体１の下部から下方へ、筒状のジョイント部材１５を立設して、トラップ本体４から槽体１の高さとなるよう構成しても良い。このような構成にすると、槽体１からトラップ本体４までの高さが遮蔽されるので、意匠性がよい。特に、キャビネットを有さない槽体１などであれば、特にその効果を発揮する。
また、ジョイント部材１５は、トラップ本体４から立設する以外に、例えば図１５乃至図１６に示したように、槽体１から下方に垂下して構成したり、さらには、スポンジやゴムなどの弾性部材から構成しても構わない。このとき、ジョイント部材１５はカットすることや、自身が収縮・延長することで、槽体１からトラップ本体４の高さ方向の調整があっても、その調整に併せてジョイント部材１５も調整できるので、槽体１からトラップ本体４までの高さ方向に隙間が発生することが無いので、槽体１の意匠性が良くなる。
【００２４】
また、本発明の実施例は上記に記載した実施例のほかにも、特許請求の範囲を逸脱しない範囲で適宜変更は可能である。
例えば前記実施例では、凸部を槽体から下方に垂下して構成し、それに合致する凹部をトラップ本体上部に構成しているが、例えば、トラップ本体上部から上方へ延出して構成される凸部とし、更にその凸部に合致する凹部を槽体下面に構成しても構わない。両構成ともに、排出口を位置決めする構成であるため、特に問題はない。
【００２５】
また、本発明の実施例では、第１排水管３とトラップ本体４の接続をナットなどで接続しているが、これを図１７に示すように、例えばＯリングや平パッキンなどの水密部材１８を介するのみで接続してもよい。このような配管にすることで、従来例のようにナット等で接続作業を行わずに第１排水管３の高さ方向だけ調整するだけで、両者は水密的に接続することが出来る。尚、この場合においては、第２排水管１１が下水管に接続固定されるため、当該第２排水管１１がトラップ本体４の排出口７に挿入されて水密的に接続固定されているため、トラップ本体４が第１排水管３から脱落するようなことはない。
【００２６】
また、本発明の実施例では、槽体１及び第１排水管３を別パーツで構成しているが、図１７のように槽体１と第１排水管３を一体的に構成しても良い。このように構成すると、従来のように槽体１と第１排水管３の接続をわざわざ行わなくても済むので、極めて施工が簡単となる。
【図面の簡単な説明】
【００２７】
【図１】本発明の第１実施例の施工途中の一部断面図である。
【図２】本発明の第１実施例の施工時の一部断面図である。
【図３】本発明の第１実施例の施工状態を示す図５におけるＡ−Ａ’断面図である。
【図４】本発明の第１実施例の施工状態を示す図５におけるＢ−Ｂ’断面図である。
【図５】本発明の第１実施例の施工図を示す上面図である。
【図６】（ａ）本発明の第２排水管を示す本図（ｂ）におけるＡ−Ａ’断面図である。（ｂ）本発明の第２排水管を示す側面図である。（ｃ）本発明の第２排水管を示す斜視図である。
【図７】本発明のトラップ本体の排出口を示す斜視図である。
【図８】（ａ）本発明のスナップリングを示す正面図である。（ｂ）本発明のスナップリングを示す斜視図である。
【図９】（ａ）本発明の排出口と第２排水管の接続前を示す斜視図である。（ｂ）本発明の排出口と第２排水管の接続語を示す斜視図である。
【図１０】（ａ）本発明の排出口と第２排水管の接続状態を示す本図（ｂ）におけるＡ−Ａ’断面図である。（ｂ）本発明の排出口と第２排水管の接続状態を示す側面図である。
【図１１】本発明のその他の実施例の施工途中を示す一部断面図である。
【図１２】本発明のその他の実施例の施工時の一部断面図である。
【図１３】本発明のその他の実施例の施工途中を示す一部断面図である。
【図１４】本発明のその他の実施例の施工時の一部断面図である。
【図１５】本発明のその他の実施例の施工途中を示す一部断面図である。
【図１６】本発明のその他の実施例の施工時の一部断面図である。
【図１７】本発明のその他の実施例の施工時の一部断面図である。
【図１８】従来例を示す断面図である。
【図１９】従来例を示す断面図である。
【図２０】従来例を示す断面図である。
【符号の説明】
【００２８】
１    槽体
２    排水口
３    第１排水管
４    トラップ本体
５    封水筒
６    封水部
７    排出口
８    切り込み溝
９    凸部
１０  凹部
１１  第２排水管
１２  凹溝
１３  フラット面
１４  スナップリング
１５  ジョイント部材
１６  下水管
１７  壁面
１８  水密部材
１９  床面
【図１】
2008025216.tif 000003
【図２】
2008025216.tif 000004
【図３】
2008025216.tif 000005
【図４】
2008025216.tif 000006
【図５】
2008025216.tif 000007
【図６】
2008025216.tif 000008
【図７】
2008025216.tif 000009
【図８】
2008025216.tif 000010
【図９】
2008025216.tif 000011
【図１０】
2008025216.tif 000012
【図１１】
2008025216.tif 000013
【図１２】
2008025216.tif 000014
【図１３】
2008025216.tif 000015
【図１４】
2008025216.tif 000016
【図１５】
2008025216.tif 000017
【図１６】
2008025216.tif 000018
【図１７】
2008025216.tif 000019
【図１８】
2008025216.tif 000020
【図１９】
2008025216.tif 000021
【図２０】
2008025216.tif 000022